(57)【特許請求の範囲】
【請求項１】
それぞれがＬＥＤチップを有する複数のＬＥＤモジュールを備え、
上記複数のＬＥＤモジュールは、発する光の波長が互いに異なる第１および第２のＬＥＤモジュールを含み、かつ上記複数のＬＥＤモジュールの少なくともいくつかは、第１の方向に沿って列をなして配置されており、かつ複数の上記第１のＬＥＤモジュールと複数の上記第２のＬＥＤモジュールとが交互に配置されているとともに、
上記第１のＬＥＤモジュールに電力を供給する第１の電源部と、
上記第２のＬＥＤモジュールに電力を供給する第２の電源部と、をさらに備えており、
上記第１および第２の電源部は、上記第１および第２のＬＥＤモジュールの発光量を調整可能である、１以上のＬＥＤユニットと、
上記第１の方向に延びており、上記ＬＥＤユニットを支持する支持カバーと、
を備えた、ＬＥＤ照明装置であって、
上記第１の方向と直角である第２の方向の一方側である天井側に対して光を出射する１以上の上記ＬＥＤユニットと、
上記第２の方向の他方側である机側に対して光を出射する上記ＬＥＤユニットと、を備えており、
上記一方側に光を出射する１以上の上記ＬＥＤユニットおよび上記他方側に光を出射する上記ＬＥＤユニットの少なくともいずれかは、上記第１および第２のＬＥＤモジュールの発光量指示無線信号を受信可能であり、かつ上記第１および第２の電源部に対して発光量指示信号を送る無線子機部をさらに備えており、
上記一方側に対して光を出射する上記１以上のＬＥＤユニットに含まれる上記複数のＬＥＤモジュールの列数は、上記他方側に対して光を出射する上記ＬＥＤユニットに含まれる上記複数のＬＥＤモジュールの列数よりも多いことを特徴とする、ＬＥＤ照明装置。
【請求項２】
上記一方側に光を出射する２以上の上記ＬＥＤユニットが、互いに並列に並べられており、
上記一方側に光を出射する上記ＬＥＤユニットの数は、上記他方側に光を出射する上記ＬＥＤユニットの数よりも多い、請求項１に記載のＬＥＤ照明装置。
【請求項３】
上記他方側に光を出射する上記ＬＥＤユニットの上記第１および第２の方向のいずれに対しても直角である第３の方向における寸法が、上記一方側に光を出射する上記ＬＥＤユニットの上記第３の方向における寸法よりも少である、請求項１に記載のＬＥＤ照明装置。
【請求項４】
上記ＬＥＤユニットは、上記第１の方向に延びており、上記複数のＬＥＤモジュールが搭載された基板と、
上記第１の方向に延びる断面コの字状であり、かつ底部外面に上記基板が取り付けられた支持部材と、を備えており、
上記第１および第２の電源部は、上記支持部材に収容されている、請求項１ないし３のいずれかに記載のＬＥＤ照明装置。
【請求項５】
上記無線子機部は、上記支持部材に対して上記第１の方向において隣り合う位置に設けられている、請求項４に記載のＬＥＤ照明装置。
【請求項６】
上記一方側に光を出射する１以上の上記ＬＥＤユニットおよび上記他方側に光を出射する上記ＬＥＤユニットのいずれか１つは、上記無線子機部を備えており、
このＬＥＤユニットの上記無線子機部からの発光量指示信号によって、すべての上記ＬＥＤユニットの発光量が調整される、請求項１ないし５のいずれかに記載のＬＥＤ照明装置。
【請求項７】
請求項１ないし６のいずれかに記載のＬＥＤ照明装置と、
上記無線子機部に対して上記発光量指示無線信号を送信する無線親機部と、
を備えることを特徴とする、ＬＥＤ照明システム。
【請求項８】
上記無線親機部は、日時の経過にしたがって上記各ＬＥＤユニットの上記第１および第２のＬＥＤモジュールの発光量を変化させるように上記発光量指示無線信号を送信する、請求項７に記載のＬＥＤ照明システム。
【発明の詳細な説明】
【技術分野】
【０００１】
本発明は、ＬＥＤユニット、ＬＥＤ照明装置、およびＬＥＤ照明システムに関する。
【背景技術】
【０００２】
図２７は、従来のＬＥＤ照明装置の一例を示している（たとえば特許文献１参照）。同図に示されたＬＥＤ照明装置Ｘは、長矩形状の基板９１と、基板９１上に実装された複数のＬＥＤモジュール９２と、基板９１を収容する管９３と、端子９４と、ＬＥＤモジュール９２を点灯させるための回路９５とを備えている。ＬＥＤモジュール９２は、ＬＥＤチップ（図示略）を内蔵しており、たとえば白色光を発する。基板９１上には複数のＬＥＤモジュール９２および端子９４に接続される図示しない配線が形成されている。このＬＥＤ照明装置Ｘは、端子９４を一般用蛍光灯照明器具のソケットの差込口に嵌合させることにより、複数のＬＥＤモジュール９２を発光させることができるように構成されている。ＬＥＤモジュール９２は、低消費電力であるとともに長寿命であることから、ＬＥＤ照明装置Ｘを蛍光ランプの代替として利用すれば、コスト面および環境面において改善が期待できる。なお、一般用蛍光灯照明器具とは、主に屋内の一般照明に広く用いられる照明器具であり、たとえば日本国内においては、商用１００Ｖ電源を用い、ＪＩＳ  Ｃ７６１７に定められた直管形蛍光ランプまたはＪＩＳ  Ｃ７６１８に定められた環形蛍光ランプが取り付けられる照明器具をいう。
【０００３】
しかしながら、屋内に属する場所は、居間、寝室、会議室など、そこで行われる活動が様々である。また、同じ部屋であっても、時間や季節によって自然光による明るさが異なる。特に、夜間は全く照明を必要とせず、日中は十分な光量が必要とされることが多い。さらに、仕事をする部屋ではいわゆる昼白色、寝室ではいわゆる電球色が好まれる。このように、屋内照明であっても、求められる光量や色合いは時間や場所によって異なる。したがって、一定光量の単一色を発するＬＥＤ照明装置Ｘでは、上述した要望に十分に応えることができなかった。
【先行技術文献】
【特許文献】
【０００４】
【特許文献１】実開平６−５４１０３号公報
【発明の概要】
【発明が解決しようとする課題】
【０００５】
本発明は、上記した事情のもとで考え出されたものであって、発する光の輝度や色合いを調節することが可能なＬＥＤユニット、ＬＥＤ照明装置、およびＬＥＤ照明システムを提供することをその課題とする。
【課題を解決するための手段】
【０００６】
本発明の第１の側面によって提供されるＬＥＤユニットは、それぞれがＬＥＤチップを有する複数のＬＥＤモジュールを備えるＬＥＤユニットであって、上記複数のＬＥＤモジュールは、発する光の波長が互いに異なる第１および第２のＬＥＤモジュールを含むことを特徴としている。
【０００７】
本発明の好ましい実施の形態においては、上記複数のＬＥＤモジュールの少なくともいくつかは、第１の方向に沿って列をなして配置されており、かつ複数の上記第１のＬＥＤモジュールと複数の上記第２のＬＥＤモジュールとが交互に配置されている。
【０００８】
本発明の好ましい実施の形態においては、上記第１のＬＥＤモジュールに電力を供給する第１の電源部と、上記第２のＬＥＤモジュールに電力を供給する第２の電源部と、をさらに備えており、上記第１および第２の電源部は、上記第１および第２のＬＥＤモジュールの発光量を調整可能である。
【０００９】
本発明の好ましい実施の形態においては、上記第１および第２のＬＥＤモジュールの発光量指示無線信号を受信可能であり、かつ上記第１および第２の電源部に対して発光量指示信号を送る無線子機部をさらに備える。
【００１０】
本発明の好ましい実施の形態においては、上記第１の方向に延びており、上記複数のＬＥＤモジュールが搭載された基板と、上記第１の方向に延びる断面コの字状であり、かつ底部外面に上記基板が取り付けられた支持部材と、を備えており、上記第１および第２の電源部は、上記支持部材に収容されている。
【００１１】
本発明の好ましい実施の形態においては、上記無線子機部は、上記支持部材に対して上記第１の方向において隣り合う位置に設けられている。
【００１２】
このような構成によれば、上記第１および第２のＬＥＤモジュールの発光量を適宜調整することにより、上記ＬＥＤユニットからの光の色合いおよび輝度を任意に設定することが可能である。これにより、設置場所や日時によって求められる色合いおよび輝度の光によって屋内を照らすことができる。
【００１３】
本発明の第２の側面によって提供されるＬＥＤ照明装置は、本発明の第１の側面によって提供される１以上のＬＥＤユニットと、上記第１の方向に延びており、上記ＬＥＤユニットを支持する支持カバーと、を備えることを特徴としている。
【００１４】
本発明の好ましい実施の形態においては、２以上の上記ＬＥＤユニットが、互いに並列に並べられており、かつ上記第１の方向と直角である第２の方向の一方側に対していずれも光を出射する配置とされている。
【００１５】
本発明の好ましい実施の形態においては、上記２以上のＬＥＤユニットに対して並行に並べられており、かつ上記第２の方向の他方側に対して光を出射する上記ＬＥＤユニットをさらに備える。
【００１６】
本発明の好ましい実施の形態においては、上記第１の方向と直角である第２の方向の一方側に対して光を出射する上記ＬＥＤユニットと、このＬＥＤユニットよりも上記第１および第２の方向のいずれに対しても直角である第３の方向における寸法が少であり、かつ上記第２の方向の他方側に対して光を出射する上記ＬＥＤユニットと、を備える。
【００１７】
本発明の好ましい実施の形態においては、上記１以上のＬＥＤユニットのいずれか１つは、本発明の第１の側面によって提供され上記無線子機部を備えるＬＥＤユニットであり、このＬＥＤユニットの上記無線子機部からの発光量指示信号によって、すべての上記ＬＥＤユニットの発光量が調整される。
【００１８】
本発明の第３の側面によって提供されるＬＥＤ照明システムは、本発明の第１の側面によって提供され上記無線子機部を備えるＬＥＤユニットと、上記無線子機部に対して上記発光量指示無線信号を送信する無線親機部と、を備えることを特徴としている。
【００１９】
本発明の好ましい実施の形態においては、上記無線親機部は、日時の経過にしたがって上記各ＬＥＤユニットの上記第１および第２のＬＥＤモジュールの発光量を変化させるように上記発光量指示無線信号を送信する。
【００２０】
このような構成によれば、たとえば１年を通して上記ＬＥＤユニットからの光の色合いおよび輝度を、日時に応じた状態に設定可能である。
【００２１】
本発明のその他の特徴および利点は、添付図面を参照して以下に行う詳細な説明によって、より明らかとなろう。
【図面の簡単な説明】
【００２２】
【図１】本発明の第１実施形態に基づくＬＥＤ照明装置の使用例を示す正面図である。
【図２】本発明の第１実施形態に基づくＬＥＤ照明装置の使用例を示す側面図である。
【図３】本発明の第１実施形態に基づくＬＥＤ照明装置を示す要部斜視図である。
【図４】図３のＶＩ−ＶＩ線に沿う断面図である。
【図５】本発明の第１実施形態に基づくＬＥＤユニットを示す断面図である。
【図６】図５に示すＬＥＤユニットの基板およびＬＥＤモジュールを示す平面図である。
【図７】図６のＶＩＩ−ＶＩＩ線に沿う断面図である。
【図８】図５に示すＬＥＤユニットの電源基板および電子部品を示す平面図である。
【図９】図１に示すＬＥＤ照明装置を示す平面図である。
【図１０】図５に示すＬＥＤユニットを示す、（ａ）が平面図、（ｂ）が正面図、（ｃ）が底面図、（ｄ）が右側面図である。
【図１１】図１に示すＬＥＤ照明装置を示す要部平面図である。
【図１２】図１１に示すＬＥＤユニットを示す、（ａ）が平面図、（ｂ）が正面図、（ｃ）が底面図、（ｄ）が右側面図である。
【図１３】本発明の第１実施形態に基づくＬＥＤ照明システムを示すシステム構成図である。
【図１４】本発明の第２実施形態に基づくＬＥＤ照明装置を示す平面図である。
【図１５】図１４に示すＬＥＤ照明装置を示す左側面図である。
【図１６】図１４に示すＬＥＤ照明装置を示す右側面図である。
【図１７】本発明の第３実施形態に基づくＬＥＤ照明装置を示す平面図である。
【図１８】図１７に示すＬＥＤ照明装置を示す左側面図である。
【図１９】本発明の第４実施形態に基づくＬＥＤ照明装置を示す正面図である。
【図２０】図１９に示すＬＥＤ照明装置を示す要部正面図である。
【図２１】図１９に示すＬＥＤ照明装置を示す要部底面図である。
【図２２】図２０のＸＸＩ−ＸＸＩ線に沿う断面図である。
【図２３】本発明の第５実施形態に基づくＬＥＤ照明装置を示す要部平面図である。
【図２４】図２３に示すＬＥＤ照明装置を示す要部正面図である。
【図２５】図２３に示すＬＥＤ照明装置を示す要部底面図である。
【図２６】図２４のＸＸＶＩ−ＸＸＶＩ線に沿う断面図である。
【図２７】従来のＬＥＤ照明装置の一例を示す断面図である。
【発明を実施するための形態】
【００２３】
以下、本発明の好ましい実施の形態につき、図面を参照して具体的に説明する。
【００２４】
図１〜図４は、本発明の第１実施形態に基づくＬＥＤ照明装置を示している。本実施形態のＬＥＤ照明装置Ｂ１は、複数のＬＥＤユニットＡ１および支持カバー１を備えている。ＬＥＤ照明装置Ｂ１は、たとえば図１および図２に示すように、事務机Ｄの上部に配置されており、天井Ｗと事務机Ｄの天面とを照らすように構成されている。
【００２５】
支持カバー１は、全体として細長筒状とされており、図１および図２に示すように、ｘ方向が長手方向となる姿勢で、事務机Ｄの上部に対して取り付けられている。図３および図４に示すように、支持カバー１は、１対の円弧部１１および１対の中板部１２を備えている。１対の円弧部１１は、同一円の一部ずつに相当し、互いにｙ方向において離間している。円弧部１１は、ＬＥＤユニットＡ１からの光が意図しない方向に漏れることを防止するとともに、ＬＥＤ照明装置Ｂ１の外観をスマートな印象を抱かせるものとすることが期待されている。各中板部１２は、各円弧部１１から上記同一円の中心に向かってｙ方向に延びている。中板部１２は、ＬＥＤユニットＡ１を支持する部分である。
【００２６】
ＬＥＤユニットＡ１は、本発明の第１実施形態に基づくものであり、図５に示すように、基板２、複数のＬＥＤモジュール３、支持部材４、カバー５、第１および第２の電源部６Ａ，６Ｂを備えている。さらに、ＬＥＤ照明装置Ｂ１に備えられた複数のＬＥＤユニットＡ１のうちの一つは、無線子機部７（図９参照）を備えている。ＬＥＤユニットＡ１は、ｘ方向に延びる細長状であり、ＬＥＤ照明装置Ｂ１の発光機能を果たすユニットである。本実施形態においては、ＬＥＤユニットＡ１は、ｘ方向寸法が１２２７ｍｍ、ｙ方向寸法が３３ｍｍ、ｚ方向寸法が３０ｍｍとされている。ＬＥＤ照明装置Ｂ１においては、図３および図４に示すように、ｚ方向上側に複数のＬＥＤユニットＡ１が互いに並行に２列に配置され、ｚ方向下側に複数のＬＥＤユニットＡ１が１列に配置されている。上側の２列のＬＥＤユニットＡ１は、図１および図２における天井Ｗを照らし、下側の１列のＬＥＤユニットＡ１は、事務机Ｄの天面を照らす。
【００２７】
基板２は、図５および図６に示すように、ｘ方向を長手方向、ｙ方向を幅方向とする帯状であり、たとえばガラスエポキシ樹脂からなる。本実施形態においては、基板２は、ｘ方向寸法が２０４ｍｍ、ｙ方向寸法が３０ｍｍとされており、１つのＬＥＤユニットＡ１に６枚の基板２が設けられている。１枚の基板２には、２８８個のＬＥＤモジュール３が搭載されている。これらのＬＥＤモジュール３に対して後述する給電を行うために、基板２は、積層基板とされている。図６に示すように、隣り合う基板２どうしは、そのｘ方向端面どうしがほとんど隙間を生じさせない程度に近接して配置されている。隣り合う基板２に形成された配線パターン（図示略）どうしは、配線２１によって互いに接続されている。
【００２８】
複数のＬＥＤモジュール３は、ＬＥＤユニットＡ１の光源となるモジュールであり、図６に示すように基板２上に２列に配置されている。本実施形態においては、複数のＬＥＤモジュール３は、ＬＥＤモジュール３ＡとＬＥＤモジュール３Ｂとによって構成されている。ＬＥＤモジュール３Ａ，３Ｂは、発する光の波長が互いに異なっており、たとえばＬＥＤモジュール３Ａは、色温度５，０００Ｋ程度のいわゆる昼白色を発し、ＬＥＤモジュール３Ｂは、色温度３，０００Ｋ程度のいわゆる電球色を発する。図６の左側の部分拡大図に示すように、ＬＥＤモジュール３ＡとＬＥＤモジュール３Ｂとは、ｘ方向において交互に配置されている。さらに、たとえば図６の右側の部分拡大図に示された部分においては、図中左側の基板２の右端にはＬＥＤモジュール３Ｂが搭載されており、図中右側の基板２の左端には、ＬＥＤモジュール３Ａが搭載されている。これにより、ＬＥＤユニットＡ１全体において、ＬＥＤモジュール３Ａ，３Ｂがｘ方向において交互に配置されている。ＬＥＤユニットＡ１には、ＬＥＤモジュール３ＡとＬＥＤモジュール３Ｂとが４３２個ずつ搭載されており、合計で８６４個のＬＥＤモジュール３が用いられている。ＬＥＤモジュール３Ａ，３Ｂは、平面視寸法が４．０ｍｍ×２．０ｍｍ程度である。
【００２９】
図７に示すように、ＬＥＤモジュール３Ａ，３Ｂは、１対のリード３１、ＬＥＤチップ３２、封止樹脂３３、およびリフレクタ３４を備えている。１対のリード３１は、たとえばＣｕ合金からなり、その一方にＬＥＤチップ３２が搭載されている。リード３１のうちＬＥＤチップ３２が搭載された面と反対側の面は、ＬＥＤモジュール３を面実装するために用いられる実装端子３１ａとされている。ＬＥＤチップ３２は、ＬＥＤモジュール３の光源であり、たとえば青色光を発光可能とされている。封止樹脂３３は、ＬＥＤチップ３２を保護するためのものである。封止樹脂３３は、ＬＥＤチップ３２からの光によって励起されることにより黄色光を発する蛍光物質を含む透光樹脂を用いて形成されている。ＬＥＤモジュール３ＡとＬＥＤモジュール３Ｂとでは、封止樹脂３３の構成が異なる。この相違によって、ＬＥＤモジュール３Ａからは昼白色が、ＬＥＤモジュール３Ｂからは電球色が、それぞれ発せられる。上記蛍光物質としては、黄色光を発するものに代えて、赤色光を発するものと緑色光を発するものとを混合して用いてもよい。リフレクタ３４はたとえば白色樹脂からなり、ＬＥＤチップ３２から側方に発された光を上方に反射するためのものである。
【００３０】
図５に示すように、支持部材４は、たとえばアルミ製であり、底部４１、２つの側板部４２、および２つの押さえ板４６を有する断面コの字状である。底部４１の外側には、基板２が取り付けられている。本実施形態においては、底部４１と基板２とは、ｙ方向寸法がほぼ同じとされている。２つの側板部４２には、係止溝４３，４４が形成されている。係止溝４３，４４は、ｘ方向に延びており、ｙ方向内方に窪んでいる。２つの押さえ板４６は、側板部４２の下端に取り付けられている。
【００３１】
カバー５は、図３に示すようにｘ方向に延びる断面円弧状の帯状であり、ＬＥＤモジュール３からの光を拡散しつつ透過するたとえば乳白色の樹脂からなる。図５に示すように、カバー５の両端縁には、係止片５１，５２が形成されている。係止片５１，５２は、ともにｘ方向に延びており、ｙ方向内方に向かって突出している。係止片５１は、係止溝４３と係合しており、係止片５２は、係止溝４４と係合している。
【００３２】
電源部６Ａ，６Ｂは、ケース６１、電源基板６２および複数の電子部品６３からなり、支持部材４に収容されている。ケース６１は、断面コの字状であり、たとえば金属製である。ケース６１には、電源基板６２が取り付けられている。図８に示すように、電源基板６２は、長矩形状であり、複数の電子部品６３が実装されている。複数の電子部品６３は、たとえば、コンデンサ６３ａ、ダイオード６３ｂ、回路保護素子６３ｃ、ドライバＩＣ６３ｄ、コイル６３ｅ、抵抗器６３ｆ、たとえばパワーＭＯＳＦＥＴからなるトランジスタ６３ｇなどである。電源部６Ａ，６Ｂからは、図示しないコネクタが延びている。図５に示すように電源部６Ａ，６Ｂは、それぞれのケース６１が押さえ板４６によって押さえられることによって支持部材４に対して固定されている。押さえ板４６とケース６１とは、たとえば図示しないボルトによって結合されている。
【００３３】
本実施形態においては、１つのＬＥＤユニットＡ１に２つずつの電源部６Ａ，６Ｂが設けられている。各電源部６Ａは、２１６個ずつのＬＥＤモジュール３Ａに対して電源供給を行い、各電源部６Ｂは、２１６個ずつのＬＥＤモジュール３Ｂに対して電源供給を行う。各ＬＥＤモジュール３には、たとえば最大で電圧が３Ｖ程度、電流が２０ｍＡ程度の直流電力が供給される。
【００３４】
図９は、ＬＥＤ照明装置Ｂ１をｚ方向上方から見た図であり、ｘ方向左端にあるＬＥＤユニットＡ１以外のＬＥＤユニットＡ１を省略している。同図から理解されるように、ＬＥＤ照明装置Ｂ１のｚ方向上方、すなわち図１における天井Ｗ側には、互いに平行に並べられた２列のＬＥＤユニットＡ１が臨んでいる。これらの２列のＬＥＤユニットＡ１は、天井Ｗの照明に用いられる。ｚ方向上側に設けられたＬＥＤユニットＡ１は、図１０に示す構成とされており、支持カバー１の中板部１２に対してｚ方向上側に設置されている。
【００３５】
図１１は、ＬＥＤ照明装置Ｂ１に設けられたｚ方向上側のＬＥＤモジュールＡ１を省略した図である。ｚ方向下側に配置されたＬＥＤユニットＡ１には、図１２に示すようにそのｘ方向両端にホルダ４５が設けられている。ホルダ４５は、ｙ方向両側に延出している。このＬＥＤユニットＡ１を支持カバー１に取り付けるには、図４に示す１対の中板部１２どうしの隙間にカバー５および支持部材４を挿入する。すると、ｙ方向に延出するホルダ４５が中板部１２に引っかかる格好となる。これにより、ＬＥＤユニットＡ１が中板部１２によって支持される。
【００３６】
無線子機部７は、たとえばＩＥＥＥ８０２．１５．４規格にしたがった物理層を有する無線通信デバイスである。図９に示すように、本実施形態においては、無線子機部７は、直方体のケースに電子部品および基板などの構成要素（図示略）が内蔵された形態とされており、ＬＥＤユニットＡ１の支持部材４およびカバー５に対してｘ方向において隣接する位置に配置されている。
【００３７】
図１３は、本発明にかかるＬＥＤ照明システムの一例を示している。本実施形態のＬＥＤ照明システムＣは、複数のＬＥＤ照明装置Ｂ１と無線親機部８とによって構成されている。無線親機部８は、たとえばＩＥＥＥ８０２．１５．４規格にしたがった物理層を有する無線通信デバイスであり、無線子機部７との間で無線通信が可能に構成されている。無線親機部８は、データ入力手段としてのパーソナルコンピュータＰＣと接続可能である。パーソナルコンピュータＰＣからは、たとえば、１年間におけるＬＥＤ照明装置Ｂ１の明るさおよび色合いを日時ごとに区別して入力される。無線親機部８は、内蔵したメモリ（図示略）にそのデータを記憶する。
【００３８】
無線親機部８からは、日時ごとの明るさおよび色合いにもとづいて、各ＬＥＤ照明装置Ｂ１に対して発光量指示無線信号を送信する。各ＬＥＤ照明装置Ｂ１の無線子機部７は、上記発光量指示無線信号を受信すると、電源部６Ａ，６Ｂに対して発光量指示信号を送る。この発光量指示信号は、たとえば電圧が５Ｖのパルス波形信号であり、電源部６Ａ，６Ｂによって発光されるＬＥＤモジュール３Ａ，３Ｂそれぞれの発光時間率を指示するものである。これにより、ＬＥＤモジュール３Ａ，３Ｂに対して、上記発光量指示無線信号にしたがっていわゆるＰＷＭ制御がなされる。
【００３９】
たとえば、あるＬＥＤ照明装置Ｂ１に昼白色を発光させたいときには、ＬＥＤモジュール３Ａの発光時間率を１００％とする発光量指示信号を電源部６Ａに送信し、ＬＥＤモジュール３Ｂの発光時間率を０％とする発光量指示信号を電源部６Ｂに送信する。一方、あるＬＥＤ照明装置Ｂ１に電球色を発光させたいときには、ＬＥＤモジュール３Ａの発光時間率を０％とする発光量指示信号を電源部６Ａに送信し、ＬＥＤモジュール３Ｂの発光時間率を１００％とする発光量指示信号を電源部６Ｂに送信する。このようなＰＷＭ制御により、ＬＥＤ照明装置Ｂ１（ＬＥＤユニットＡ１）が発する光の色合いを昼白色から電球色の間で自在に調整可能である。また、ＬＥＤ照明装置Ｂ１（ＬＥＤユニットＡ１）の照度も調整できる。
【００４０】
本実施形態においては、１つのＬＥＤ照明装置Ｂ１に１つの無線子機部７が設けられている。これは、１つのＬＥＤ照明装置Ｂ１に備えられた複数のＬＥＤユニットＡ１は、同じ色合い、同じ照度で光らせるということを意味する。
【００４１】
次に、ＬＥＤユニットＡ１、ＬＥＤ照明装置Ｂ１、ＬＥＤ照明システムＣの作用について説明する。
【００４２】
本実施形態によれば、ＬＥＤモジュール３Ａ，３Ｂを発光時間率によって制御することにより、ＬＥＤユニットＡ１およびＬＥＤ照明装置Ｂ１から発する光の色合いを、昼白色から電球色の間で任意に設定することが可能である。また、同様に、ＬＥＤユニットＡ１およびＬＥＤ照明装置Ｂ１の輝度を、０から最大光量までの間で任意に設定可能である。これにより、設置場所や日時によって求められる色合いおよび輝度の光によって屋内を照らすことができる。
【００４３】
昼白色のＬＥＤモジュール３Ａと電球色のＬＥＤモジュール３Ｂとが、ｘ方向において交互に配置されていることにより、ＬＥＤモジュール３Ａ，３Ｂそれぞれから発せられた光の混色を促進可能である。これにより、ＬＥＤユニットＡ１（ＬＥＤ照明装置Ｂ１）を見る者が、電球色の色合いで光る部分と昼白色の色合いで光部分とを別々に認識してしまうことを抑制可能であり、カバー５を透して均一に発光しているような外観を実現することができる。
【００４４】
比較的熱伝導率が高いアルミからなる支持部材４に基板２を取り付けていることにより、ＬＥＤモジュール３Ａ，３Ｂからの熱を、基板２を介して支持部材４へと良好に伝達することが可能である。支持部材４は、断面コの字状であることにより、その表面積が比較的大である。これは、放熱効率を高めるのに有利である。放熱効率の向上により、ＬＥＤモジュール３Ａ，３Ｂの劣化を抑制することができる。
【００４５】
ＬＥＤユニットＡ１は、全体として細長状のシンプルな形状であるにもかかわらず、光源であるＬＥＤモジュール３Ａ，３Ｂ、給電手段である電源部６Ａ，６Ｂなどが内蔵されている。このため、支持カバー１に対して、上向きや下向き、２列、１列など、比較的多彩な姿勢でＬＥＤユニットＡ１を搭載することが可能である。これにより、ＬＥＤ照明装置Ｂ１は、天井Ｗと事務机Ｄの天面とを照らすことが可能であり、しかも全体として煩雑な形状とはなっておらず、すっきりとした外観を呈している。
【００４６】
複数のＬＥＤ照明装置Ｂ１と無線親機部８とを組み合わせたＬＥＤ照明システムＣは、各ＬＥＤ照明装置Ｂ１の色合いや輝度を発光量指示無線信号を送受することにより任意に調整可能である。このような構成によれば、たとえば有線を用いた照明システムと比較して、配線の煩わしさがない、ＬＥＤ照明装置Ｂ１の設置場所の制約が少ないなどの利点がある。
【００４７】
無線親機部８に１年を通して日時に応じた色合いおよび輝度を記憶させておき、これに応じた発光量指示無線信号を送信することにより、複数のＬＥＤ照明装置Ｂ１の色合いおよび輝度を部屋や季節、時間に適したものに決め細やかに設定可能である。
【００４８】
無線子機部７を支持部材４の外側に配置することにより、発光量指示無線信号が不当に遮蔽されることを防止可能であり、無線子機部７によって適切に受信することができる。無線子機部７を支持部材４に対してｘ方向において隣接するように配置すれば、ＬＥＤ照明装置Ｂ１が大径化してしまうことを回避できる。
【００４９】
図１４〜図２６は、本発明の他の実施形態を示している。なお、これらの図において、上記実施形態と同一または類似の要素には、上記実施形態と同一の符号を付している。
【００５０】
図１４〜図１６は、本発明の第２実施形態に基づくＬＥＤ照明装置を示している。本実施形態のＬＥＤ照明装置Ｂ２は、複数のＬＥＤユニットＡ１の配置が上述した実施形態と異なっている。
【００５１】
本実施形態においては、支持カバー１において中板部１２に対してｚ方向上方にのみ、複数のＬＥＤユニットＡ１が２列で配置されている。図１５および図１６に示すように、支持カバー１は、遮蔽ブラケット１３を有している。遮蔽ブラケット１３は、１対の円弧部１１において、中板部１２に対してｚ方向下側の空間にはめ込まれている。遮蔽ブラケット１３のｚ方向下面は断面円弧状とされており、この円弧状の下面が１対の円弧部１２と連続となっている。遮蔽ブラケット１３は、たとえば不透明な樹脂によって形成されている。このようなＬＥＤ照明装置Ｂ２は、たとえば図１および図２における天井Ｗのみを照らす目的で用いられる。本実施形態から理解されるように、ＬＥＤユニットＡ１を用いることにより、照明が必要な方向を照らしつつ、ＬＥＤ照明装置Ｂ２に搭載されるＬＥＤユニットＡ１の本数を必要最低限に抑えることが可能であり、合理的である。
【００５２】
図１７および図１８は、本発明の第３実施形態に基づくＬＥＤ照明装置を示している。本実施形態のＬＥＤ照明装置Ｂ３は、複数のＬＥＤユニットＡ１の配置が上述した実施形態と異なっている。
【００５３】
本実施形態においては、支持カバー１において中板部１２に対してｚ方向下方にのみ、複数のＬＥＤユニットＡ１が１列で配置されている。このようなＬＥＤ照明装置Ｂ３は、たとえば図１および図２における事務机Ｄの天面のみを照らす目的で用いられる。本実施形態からも理解されるように、ＬＥＤユニットＡ１を用いることにより、照明が必要な方向を照らしつつ、ＬＥＤ照明装置Ｂ３に搭載されるＬＥＤユニットＡ１の本数を必要最低限に抑えることが可能であり、合理的である。
【００５４】
図１９〜図２２は、本発明の第４実施形態に基づくＬＥＤ照明装置を示している。本実施形態のＬＥＤ照明装置Ｂ４は、異なる種類のＬＥＤユニットＡ１，Ａ２を備えている点が上述した実施形態と異なっている。
【００５５】
本実施形態においては、ＬＥＤユニットＡ１とＬＥＤユニットＡ２とが、ｚ方向において支持プレート１５を挟んで配置されている。ＬＥＤユニットＡ２は、ＬＥＤユニットＡ１と比べて、ｙ方向寸法が顕著に大とされている。図２２に示しように、ＬＥＤユニットＡ２においては、複数のＬＥＤモジュール３が４列に配置されている。この４列のＬＥＤモジュール３は、２本のＬＥＤモジュールＡ１を並列に並べた場合に存在するＬＥＤモジュール３の個数に相当する。
【００５６】
支持部材４は、ｙ方向に比較的幅広の断面コの字状とされている。支持部材４が幅広であることにより、電源部６Ａ，６Ｂの収容に充てられる空間が大きい。このため、電源部６Ａ，６Ｂの占有空間のｘ方向寸法を縮小することが可能である。
【００５７】
このような構成によれば、２列に配置されたＬＥＤユニットＡ１、Ａ２によって、図１および図２における天井Ｗおよび事務机Ｄの天面を照らすことができる。たとえば、ＬＥＤ照明装置Ｂ１のように３列のＬＥＤユニットＡ１を用いた構成と比べてシンプルな構成とすることができる。
【００５８】
図２３〜図２６は、本発明の第５実施形態に基づくＬＥＤ照明装置を示している。本実施形態のＬＥＤ照明装置Ｂ５は、ＬＥＤユニットＡ２のみを備えている点が上述した実施形態と異なっている。
【００５９】
本実施形態においては、ｚ方向上方を照らすＬＥＤユニットＡ２のみが用いられている。すなわち、ＬＥＤユニットＡ２そのものが、ＬＥＤ照明装置Ｂ５を兼ねているといえる。このような実施形態から理解できるように、上述したＬＥＤユニットＡ１，Ａ２は、給電されれば、それ自体で発光機能を果たすことが可能である。これにより、ＬＥＤユニットＡ１、Ａ２のみから構成されるＬＥＤ照明装置から、多数のＬＥＤユニットＡ１，Ａ２を組み合わせて構成されるＬＥＤ照明装置など、さまざまなＬＥＤ照明装置を実現することができる。
【００６０】
本発明に係るＬＥＤユニット、ＬＥＤ照明装置、およびＬＥＤ照明システムは、上述した実施形態に限定されるものではない。本発明に係るＬＥＤユニット、ＬＥＤ照明装置、およびＬＥＤ照明システムの各部の具体的な構成は、種々に設計変更自在である。
【符号の説明】
【００６１】
Ａ１，Ａ２  ＬＥＤユニット
Ｂ１〜Ｂ５  ＬＥＤ照明装置
Ｃ      ＬＥＤ照明システム
Ｗ      天井
ｘ      （第１の）方向
ｙ      （第３の）方向
ｚ      （第２の）方向
１      支持カバー
２      基板
３      ＬＥＤモジュール
３Ａ    （第１の）ＬＥＤモジュール
３Ｂ    （第２の）ＬＥＤモジュール
４      支持部材
５      カバー
６Ａ    （第１の）電源部
６Ｂ    （第２の）電源部
７      無線子機部
８      無線親機部
１１    円弧部
１２    中板部
１３    遮蔽ブラケット
１５    支持プレート
３１    リード
３１ａ  実装端子
３２    ＬＥＤチップ
３３    封止樹脂
３４    リフレクタ
４１    底部
４２    側板部
４３，４４  係止溝
４５    ホルダ
４６    押さえ板
５１，５２  係止片
６１    ケース
６２    電源基板
６３    電子部品
６３ａ  コンデンサ
６３ｂ  ダイオード
６３ｃ  回路保護素子
６３ｄ  ドライバＩＣ
６３ｅ  コイル
６３ｆ  抵抗器
６３ｇ  トランジスタ
【図１】
0005423273.tif 000002
【図２】
0005423273.tif 000003
【図３】
0005423273.tif 000004
【図４】
0005423273.tif 000005
【図５】
0005423273.tif 000006
【図６】
0005423273.tif 000007
【図７】
0005423273.tif 000008
【図８】
0005423273.tif 000009
【図９】
0005423273.tif 000010
【図１０】
0005423273.tif 000011
【図１１】
0005423273.tif 000012
【図１２】
0005423273.tif 000013
【図１３】
0005423273.tif 000014
【図１４】
0005423273.tif 000015
【図１５】
0005423273.tif 000016
【図１６】
0005423273.tif 000017
【図１７】
0005423273.tif 000018
【図１８】
0005423273.tif 000019
【図１９】
0005423273.tif 000020
【図２０】
0005423273.tif 000021
【図２１】
0005423273.tif 000022
【図２２】
0005423273.tif 000023
【図２３】
0005423273.tif 000024
【図２４】
0005423273.tif 000025
【図２５】
0005423273.tif 000026
【図２６】
0005423273.tif 000027
【図２７】
0005423273.tif 000028